(57)【要約】コンピュータ装置が自動車の診断ポートまたは通信ポートに接続されて、車上センサデータを、他の理由で一般に自動車に設置された、例えば、種々の圧力、温度、酸素、燃料、及び他のセンサから取得する。取得したセンサデータを、リモートサーバーへ無線で送信して、リモートサーバーでは、取得したセンサデータを、記憶しているセンサデータのデータベースと比較して、車両を識別する。アップロードしたセンサデータを利用する追加的な機能を記載している。センサデータは、サーバーにほぼリアルタイムでアップロードすることができ、及び／または、ローカルにバッファ記憶して、周期的または一時的なプッシュまたはプル型通信プロトコルによってアップロードすることができる。
2015521554.tif 000002
【特許請求の範囲】
【請求項１】
自動車を遠隔的に識別する方法であって、
(a) 前記自動車内に設置された複数の電子センサから、センサデータを電子的に取得するステップと；
(b) 前記取得したセンサデータを、無線リンク経由で、前記自動車からリモートサーバーへ送信するステップと；
(c) 前記リモートサーバーが、前記取得したセンサデータを受信して、前記取得したセンサデータを、記憶しているベースライン・データと比較するステップと；
(d) 前記比較に基づいて、前記自動車を識別するステップと
を含むことを特徴とする方法。
【請求項２】
前記記憶しているベースライン・データが、複数の自動車の各々に搭載された複数のセンサから以前に取得したセンサデータを含むことを特徴とする請求項１に記載の方法。
【請求項３】
前記記憶しているベースライン・データが、次のセンサ：
エンジン冷却液温度センサ
エンジン空気温度センサ
燃料レール圧センサ
エンジンオイル温度センサ
スロットル絶対位置限界センサ
アイドル時のエンジンＲＰＭセンサ
ラムダ排気ガス酸素センサ電圧のセンサ
から成るグループから選択した少なくとも３つのセンサから取得した、選択した自動車についてのデータを含むことを特徴とする請求項２に記載の方法。
【請求項４】
前記選択したセンサの少なくとも１つに対応する、前記記憶しているベースライン・データが、対応する前記自動車の第１動作条件下で取得した第１データ、及び対応する前記自動車の第２動作条件下で取得した第２データを含むことを特徴とする請求項３に記載の方法。
【請求項５】
前記対応する自動車の前記第１動作条件が低温条件であり、前記対応する自動車の前記第２条件が、定常状態の動作条件であることを特徴とする請求項４に記載の方法。
【請求項６】
前記定常状態の動作条件が、前記自動車の始動後の所定期間として定義されることを特徴とする請求項５に記載の方法。
【請求項７】
自動車の動的な状態変化を特徴化して、所定の自動車について選択したセンサのうちの少なくとも１つについて、変化の速さのプロファイルを特定するステップと、
前記動的な状態変化のプロファイルを、前記記憶しているベースライン・データに追加して、対応する前記自動車を識別するステップと
を含むことを特徴とする請求項３に記載の方法。
【請求項８】
前記動的な状態変化を、低温始動条件から所定の高温動作温度までについて測定することを特徴とする請求項７に記載の方法。
【請求項９】
前記自動車を識別するステップが、複数の自動車の各々に対応する位置データを取得することに基づいて、類似したセンサ値を報告する前記複数の自動車どうしを区別することを含むことを特徴とする請求項３に記載の方法。
【請求項１０】
前記自動車の各々に対応する位置データを、前記自動車のそれぞれに配置されたＧＰＳ受信機から取得することを特徴とする請求項９に記載の方法。
【請求項１１】
コンピュータで実現される方法であって、
遠隔の自動車から電子センサデータを取得するステップと；
前記取得するステップを反復して、前記電子センサデータを、選択した期間にわたって蓄積するステップと；
前記蓄積した電子センサデータを、ベースライン・センサデータのデータベースと相互比較して、対応する前記自動車を識別するステップと；
前記蓄積した電子センサデータを、前記自動車に対応する運転者について分析して、前記識別した自動車及び前記対応する運転者に関連する運転者プロファルを形成するステップと；
前記運転者プロファイルを、複数の運転者プロファイルの中央サーバー・データベースに記憶するステップと
を含むことを特徴とする方法。
【請求項１２】
前記電子センサデータを、前記自動車から中央サーバーへ無線で送信することを特徴とする請求項１１に記載の方法。
【請求項１３】
前記電子センサデータを、前記自動車の車載ネットワーク上で取得して、前記中央サーバーへ送信することを特徴とする請求項１２に記載の方法。
【請求項１４】
前記電子センサデータを、前記自動車のＯＢＤポートへの接続部を通して取得して、無線通信リンク上で前記中央サーバーへ送信することを特徴とする請求項１２に記載の方法。
【請求項１５】
前記自動車の前記ＯＢＤポートに結合されたモバイル装置において前記電子センサデータを取得し、その直後に、前記取得した電子センサデータを、前記モバイル装置から前記中央サーバーへ、前記無線通信リンク上で送信することを特徴とする請求項１４に記載の方法。
【請求項１６】
前記電子センサデータを、ほぼリアルタイムで前記中央サーバーに送信することを特徴とする請求項１４に記載の方法。
【請求項１７】
現在の電子センサデータを、遠隔の自動車から取得するステップと；
新たな前記電子センサデータを、前記複数の運転者プロファイルの中央サーバー・データベースと比較して、前記自動車の現在の運転者を識別するステップと
をさらに含むことを特徴とする請求項１１に記載の方法。
【請求項１８】
新たな前記電子センサデータを、以前に前記中央サーバー・データベースに記憶したセンサデータと比較して、前記運転者の挙動の変化を検出するステップを、さらに含むことを特徴とする請求項１１に記載の方法。
【請求項１９】
前記運転者プロファイルが、次のセンサ：
エンジン空気温度センサ
燃料レール圧センサ
エンジンオイル温度センサ
スロットル絶対位置限界センサ
アイドル時のエンジンＲＰＭセンサ
ラムダ排気ガス酸素センサ電圧のセンサ
から成るグループから選択した少なくとも３つのセンサから取得した、選択した自動車についてのデータを含むことを特徴とする請求項１１に記載の方法。
【請求項２０】
新たな前記電子センサデータを、以前に前記中央サーバー・データベースに記憶したセンサデータと比較して、前記対応する自動車の保守問題を検出するステップをさらに含むことを特徴とする請求項１１に記載の方法。
【発明の詳細な説明】
【技術分野】
【０００１】
関連出願
本願は、米国特許仮出願第６１／６５７１９２号、２０１２年６月８日出願の非仮出願であり、参照する形で本明細書に含める。
【０００２】
著作権情報
(c)2012-2013 AirbiquityInc. 本特許明細書の開示の一部は、著作権保護を受ける題材を含む。著作権所有者は、米国特許商標庁の包袋または記録中に見られる特許文献または特許開示の何者による複製にも異議を唱えないが、さもなければ、如何なるものであれ、すべての著作権を留保する。37CFR§1.71(d)。
【０００３】
技術分野
本発明は動力車両に関するものであり、より具体的には自動車に関するものであり、種々の有益なアプリケーションを可能にするための、車両と集中サーバーとの通信に関係する。
【背景技術】
【０００４】
発明の背景
普遍的なＣＡＮ（controller area network：コントローラ・エリア・ネットワーク）バスは、マイクロコントローラと装置とが車両内でホストコンピュータなしに互いに通信することを可能にするように設計された車両バス規格である。ＣＡＮバスは、ＯＢＤ−ＩＩ車両診断規格において用いられる５つのプロトコルのうちの１つである。ＯＢＤ−ＩＩ規格は、１９９６年以来米国内で販売されたすべての自動車及び小型トラックに義務付けられ、ＥＯＢＤ規格は、２００１年以来欧州連合内で販売されたすべてのガソリン車、及び２００４年以来の全てのディーゼル車に義務付けられてきた。ＣＡＮは、電子制御ユニット（ＥＣＵ：electronic control unit）どうしを接続するためのマルチマスター同報シリアルバス規格である。
【０００５】
各ノードは、メッセージを送信及び受信することができるが、同時にはできない。メッセージは、最初はＩＤ（identifier：識別子）から成り、ＩＤはそのメッセージのプライオリティ（優先度）を表し、８つまでのデータバイトから成る。メッセージは、バス上でシリアル伝送される。この信号パターンは、非ゼロ復帰（ＮＲＺ：non-return-to-zero）に符号化され、すべてのノードによって検出される。ＣＡＮネットワークによって接続された装置は、一般に、センサ、アクチュエータ、及び他の制御装置である。一般に、これらの装置はバスには直接接続されず、ホストプロセッサまたはＣＡＮコントローラを通して接続される。いずれにせよ、ＣＡＮネットワークは自動車内に限定される。
【発明の概要】
【課題を解決するための手段】
【０００６】
以下は、本発明のいくつかの態様の基本的理解を提供するための、本発明の概要である。この概要は、本発明の主要／重要要素を識別すること、あるいは、本発明の範囲を線引きすることを意図するものではない。その唯一の目的は、本発明のいくつかの概念を、後に提示するより詳細な説明の前置きとして、簡略化した形式で提示することにある。
【０００７】
一般に、車載電子通信は、自動車内で発展し続けるが、自動車内に限定されたままである。本発明の１つの特徴は、車載ネットワーク、センサ及び他のノードの態様を、リモート（遠隔）サーバーの場所に拡張するものである。
【０００８】
本発明の他の態様では、リモートサーバーが、自動車から、車載センサデータを含むデータを取得することができる。
【０００９】
さらに他の態様では、センサデータを用いて、リモートサーバーにおいて自動車を識別することができる。
【００１０】
さらに他の態様では、センサデータを用いて、リモートサーバーにおいて自動車の現在の運転者を識別することができる。
【００１１】
本発明の追加的な態様及び利点は、以下の好適な実施形態の詳細な説明より明らかになり、この説明は、添付した図面を参照しながら進める。
【図面の簡単な説明】
【００１２】
【図１】本発明による保有車両管理監視システムの一例の構成要素を選択して例示する簡略化したブロック図である。
【図２】遠隔地の車両から電子センサデータを収集するサーバーベースの処理を例示する図である。
【発明を実施するための形態】
【００１３】
一部の車両上のデータ通信ポートは、一意的な識別子である車両識別番号（ＶＩＮ：Vehicle Identification Number）を提供しない、という問題が生じる。車両を一意的に識別する能力なしでは、保有車両管理システムが大幅に制約される。例えば、保有車両管理システムが、較正されたパラメータで車両システムを迅速に設定するための自動化された設定システムを実現することができない。一部の場合、こうしたパラメータを、車両の挙動にとって一意的にすることができる。ダウンロードしたパラメータまたは他のデータを、車載のソフトウェアが使用することができる。一部の実施形態では、車載のソフトウェアまたはシステムが、運転者の挙動を監視するための運転者挙動アルゴリズムを利用することができる。さらに、自動化されたシステムは、できれば他の何らかの手段によって、これらのデータを手動で保有車両に関係付けなければならない、ということなしに、車両からデータを収集することはできない。各車両を一意的に識別する方法があれば、種々の有利な機能をリモートサーバーから実現することができる。
【００１４】
一実施形態では、コンピュータ装置を車両の診断ポートまたは通信ポートに接続して、車上センサデータを、他の理由で一般に車両に設置された、例えば、種々の圧力、温度、酸素、燃料、及び他のセンサから取得することができる。コンピュータ装置は、スマートホンのようなモバイル装置とすることができる。この装置は、ポート、例えばＯＢＤポートに接続することができる。この装置は、ケーブルまたは短距離無線接続（例えば、ブルートゥース（登録商標）接続）で、車載ネットワークに接続することができる。
【００１５】
取得したセンサデータは、スマートホン経由でリモートサーバーへ無線で送信することができ、リモートサーバーでは、自動車を識別するために、及び他の機能のために、取得したセンサデータを記憶すること、及び／または、記憶しているセンサデータのデータベースと比較することができる。取得したセンサデータは、車載または組込みＮＡＤ（network access device：ネットワークアクセス装置）経由で送信することもできる。
【００１６】
センサデータは、ほぼリアルタイムでサーバーにアップロードすることができ、及び／または、ローカルにバッファ記憶して、周期的または一時的なプッシュまたはプル型通信プロトコルによってアップロードすることができる。取得したセンサデータは、中央サーバーに記憶することができる。取得したデータは、中央サーバーに結合されたデータベースに記憶することができる。取得したデータを用いて、記憶されたベースライン・データを形成することができる。特定した車両ＩＤを、バックエンド・サーバーシステムが用いて、車両の動作履歴と比較して、その挙動に関連した何らかの異常があるか否かを判定することができる。これに加えて、以下でさらに説明するように、車両ＩＤを用いて、車両を運転中の運転者による何らかの異常が生じ得るか否かを判定することができる。さらに、車両ＩＤを用いて、データまたはソフトウェアをサーバーから車両へ提供して、特に、現在状態に適応させることができる。
【００１７】
図１では、簡略化したブロック図が、保有車両管理または運転者挙動監視システムの一例の主要構成要素を例示する。この例では、自動車データ通信ポート１００または他のインタフェースが、ケーブルまたは無線通信を介して、ユーザの「スマートホン」１０４のようなコンピュータ兼通信装置に結合されている。例えば、携帯装置と車両のポート／アダプタとの間には、ブルートゥース（登録商標）接続または他の類似の短距離無線接続を用いることができるが、この接続は、利用可能なあらゆる手段を介して行うことができる。
【００１８】
一実施形態では、スマートホン１０４が、セルラデータ通信ネットワーク１１０（別名「モバイル・ネットワーク」）、及び必要であればＩＰゲートウェイを通してリモートサーバー（「バックエンド・システム」）１２０と通信し、リモートサーバー１２０は、数種類のデータを受信し、記憶し、そして維持する。１つの種類は、履歴データ１２２とすることができる。履歴データ１２２は、次の例を含むことができるが、これらに限定されない：(a)車両識別用のセンサデータ；(b)運転者及び車両の挙動履歴データ；(c)車両へのダウンロード用の較正データ及び他のデータ；及び(d)例えば内部または外部のＧＰＳセンサによって提供される地理的位置データ。履歴データに加えて、サーバーシステムは、車両内のコンピュータ装置を設定するための設定マネージャ１３０を含むことができる。車両内のコンピュータ装置は、図に示す携帯装置を具えることができ、あるいは、他の実施形態では、種々の目的で車両内に組み込まれた１つ以上のプロセッサ（図示せず）を具えることができる。
【００１９】
一部の実施形態では、記憶しているベースライン・センサデータが、少なくとも１つの既知の定常状態条件中に対応する自動車から取得したセンサデータを含む。説明のために、第１定常状態条件は、例えば車両エンジンを低温始動で始動させた後の、例えば５秒間の所定の時間窓内で定義することができる。この条件を低温条件と称することがある。
【００２０】
第２定常状態条件は、車両エンジンの連続動作の、少なくとも所定の最小期間が経過した後に定義することができる。例えば、この期間は、５または１０分のオーダーとすることができる。この条件を「高温」または作動条件と称することがある。一部の実施形態では、記憶しているベースライン・センサデータが、低温条件中に、対応する自動車から取得したセンサデータを含むことができる。一部の実施形態では、記憶しているベースライン・センサデータが、高温または作動条件中に、対応する自動車から取得したデータを含む。複数のセンサ、例えば３つまたは４つの異なるセンサからの読み取り値の組合せを、サーバーに記憶し使用して、遠隔の車両を識別することができる。一部の実施形態では、これらのセンサ読み取り値を、低温条件、高温条件、あるいはこれら２種の組合せとすることができる。
【００２１】
限定ではなく例示の目的で、データを提供するために使用する車両センサは、次のものを含むことができる：
・エンジン冷却液温度
・エンジン空気温度
・燃料レール圧
・エンジンオイル温度
・スロットル絶対位置限界
・アイドル時のエンジンＲＰＭ（revolution per minute：１分間の回転数）
・ラムダ排気ガス酸素センサ電圧
【００２２】
従って、例えば、低温状態でのアイドル時のエンジンＲＰＭ、並びに高温状態での同じ測定値を取得することができる。燃料レール圧及びエンジンオイル温度について、合計９つの測定値について、同じデータ（高温及び低温）を取得することができる。この種のデータセットを用いて、車両を識別することができる。経過期間を用いて、低温を高温と線引きすることができる。あるいは、変化の速度を用いて、作動（定常状態）条件を示すことができる。上記のものに加えて、あるいはそれらの代わりに、他のセンサを用いることができる。一般に、より多数のセンサが、１つの車両を他の車両とより良好に区別する。取得したデータの、以前から記憶しているベースライン・データとの比較は、既知のデータベース検索技術を用いて遂行することができる。ファジー整合を用いることができる。
【００２３】
一部の実施形態では、上記の、遠隔の車両からセンサデータを取得するステップが、前述した定常状態センサ出力値のうち少なくとも３つについてセンサデータを取得することを含み、上記の比較するステップが、これら少なくとも３つのセンサ出力値を、記憶しているベースライン・データ中の対応するものと比較することを含む。
【００２４】
従って、本発明の１つの態様では、車両を識別する方法が、既知の定常状態の車両条件において車両データ通信ポートから読み込んだセンサデータ値を特徴化するステップを含むことができ、特定のセンサ値を、この車両の定常状態として特徴化することは、前に特徴化した変化の速さ及び向きを変更することである。これらの車両センサの測定値の精度は、≦±１精度のオーダーであることが好ましい。
【００２５】
他の測定値は、動的な測定条件を含むことができる。動的な測定値の例は、次のものを含むことができるが、これらに限定されない：
・以前に記録したエンジン低温始動温度にマッピングした、始動時のエンジンアイドル
・指定した高温エンジン温度におけるエンジンアイドル
・以前に記録した、低温から高温までの変化に要する時間にわたる平均エンジン負荷に対する、低温始動から高温までの、エンジン温度変化の持続時間
・類似したセンサデータ値を有する２つの車両を区別するためのＧＰＳ位置。
【００２６】
一実施形態では、部分的に定常状態のセンサ出力値に基づいて車両を特徴化することを提案する。このことは、次のもののような定常状態の車両条件下でデータ通信ポートによって提供される車両センサデータの測定値を伴うが、これらに限定されない：
【００２７】
エンジン冷却液温度、一般に−４０°Ｆ〜４１９°Ｆ（−４０℃〜２１５℃）の範囲内で測定される。このセンサは、一般に±５％の精度を有し、この精度は、冷却液の実際温度に対する、１つのセンサ出力から他のセンサ出力までの、＋２２．９５°Ｆ（＋５℃）〜−２２．９５°Ｆ（−５℃）の偏差の結果と同等である。こうしたセンサ間の出力偏差により、これらの出力を他の種類のセンサ出力と共に用いて、車両についての「指紋」を生成することができる。
【００２８】
エンジン空気温度は、一般に、−４０°Ｆ〜４１９°Ｆ（−４０℃〜２１５℃）の範囲内で測定される。このセンサは、一般に５％の精度を有し、この精度は、エンジン吸気の実際温度に対する、１つのセンサ出力から他のセンサ出力までの、＋２２．９５°Ｆ（＋５℃）〜−２２．９５°Ｆ（−５℃）の偏差と同等の偏差を生じさせることができる。こうしたセンサ間の出力偏差により、これらの出力を他の種類のセンサ出力と共に用いて、車両についての「指紋」を生成することができる。
【００２９】
燃料レール圧は、１つの型式及び年式の車両と他の型式及び年式の車両とで大きく変化する。同じ型式及び年式の車両についても、１つの車両と他の車両とで偏差が存在し、この偏差は、燃料圧レギュレータ（調整器）及び燃料圧センサの精度の関数である。これら２つが１％精度の偏差であっても、合計の精度は±２％になる。特定車両に対して一意的であるものは、測定センサの出力である。
【００３０】
エンジンオイル温度は、１つの型式及び年式の車両と他の型式及び年式の車両とで大きく変化する。同じ型式及び年式の車両についても、１つの車両と他の車両とで偏差が存在し、この偏差は、粘度、エンジンブロックの質量及び熱散逸、及びオイル温度精度の関数であり、オイル温度精度は一般に±５％である。これは、特定車両に対して一意的である測定可能なセンサ出力である。
【００３１】
スロットル絶対位置は、０〜最大１００％のスロットル開口度で測定される。同じ車両の型式及び年式について、あるいは、異なる車両の型式及び年式について、最小値を一意的にすることができる。このことは、空気アイドル設定ネジ、あるいは閉じ位置の止め具を成型したスロットルによって支配されることの多い、機械的に閉じたスロットル限界に起因する。
【００３２】
エンジンＲＰＭ：この値は通常、実際のエンジンＲＰＭの１％以内であるが、エンジンＲＰＭは、あらゆる定常状態条件においてエンジンＲＰＭに影響を与える多数の車両特有の変数のうちの一因子である。これらの車両特有の変数は、定常状態条件におけるエンジン及び空気の温度、エアフィルタの清浄性に起因するスロットル上流の空気圧低下を含む。燃料と空気の燃焼プロセス中に各エンジンシリンダ（気筒）がシリンダ圧をどれだけ良好に発生しているか、及び、使用する燃料の種類についての、所望のエンジンＲＰＭにおける化学量論的な空気燃料比に対して、エンジン管理システムによって空気燃料比の所望測定値が得られる閉ループエンジンアイドルＲＰＭをどれだけ良好に発生しているかである。こうした所望のエンジンＲＰＭは、当該定常状態条件におけるエンジンの最良の排気出力を生じさせるエンジン管理システムが学習した出力の結果とすることができ、１つの車両と他の車両とで変動する。
【００３３】
ラムダセンサ。車両で使用する特定燃料に対して、ラムダセンサの電圧出力範囲は、センサの経年、センサの精度、酸素基準セルのためのセンサ製造技術に起因して、１つのセンサと他のセンサとで変動し得る。測定することのできる有効なラムダセンサの数を用いて、異なる数のシリンダ、あるいは、異なるエンジン管理システムの精巧さを有する車両の型式及び年式どうしの差異を特定することができ、エンジン管理システムは、エンジン排気に対するエンジン出力を制御する役割を担う。一実施形態では、以上の測定値のいくつかを組み合わせて用いて、車両の一意的な識別子またはプロファイルを特定する。
【００３４】
他の態様では、車両の動的な状態変化を特徴化して、センサ出力値の変化の速さのプロファイルを特定する。例えば：
１．車両が低温始動から所定の高温動作温度まで温度を変化させる際の、エンジンのアイドルＲＰＭ。
２．冷温始動のエンジン温度から所定の高温エンジン温度までの、エンジン冷却液の温度変化に対するエンジンオイルの温度変化。
【００３５】
従って、一部の実施形態は、次のように要約することができる：コンピュータで実現される、自動車を識別する方法であって：車両の第１定常状態の動作条件中に、車両から第１センサデータを取得するステップと；同じ車両の第２定常状態の動作条件中に、車両から第２センサデータを取得するステップとを含み；第１及び第２センサデータの各々が、車両に搭載設置された３つ以上のセンサから取得されるデータを含み、これらの第１及び第２データは、同じセンサから異なる時刻に取得され；この方法はさらに、取得した第１及び第２センサデータを記憶して、その後の車両の識別に使用するためのベースライン・センサデータを形成するステップを含む。
【００３６】
本発明による方法は、さらに、第１及び第２センサデータを、記憶しているベースライン・センサデータと比較するステップと；この比較するステップに基づいて、車両の識別子を形成するステップとを含むことができる。
【００３７】
図２は、遠隔地の車両から電子センサデータを収集するサーバーベースの処理を例示する図である。この図では、無線通信リンク２０２が、中央サーバー、例えば保有車両管理システムと、遠隔地の車両との間に形成されている。このリンクは、無線通信ネットワーク上に張ることができる。このリンクを帯域内シグナリング（信号伝送）で利用して、音声チャネル上でデータを伝送することができる。このリンクは、データサービスを利用することができる。
【００３８】
判定２０４で、センサデータが車両にバッファ記憶されて用意されている場合、ブロック２０６で、このセンサデータをアップロードする。センサデータが用意されていない場合、２０８で処理をループさせる。この処理では、ブロック２１０で、アップロードしたデータにエラー訂正を施すことができ、随意的に、このデータを「磨き上げ」て、有効なデータを保証するのに役立つことができる。
【００３９】
ブロック２２０では、データが用意された後に、サーバーに結合されたデータベース、例えばベースライン・データベースを検索して、整合するデータを探すことができる。整合したベースライン・センサデータを用いて、車両を識別することができる。判定２２２で、一意的な整合を見出した場合、ブロック２３０で、このデータをデータベースに追加する。一部の場合には、２４０を通して処理をループさせて、追加的データを取得することができる。２２２で、一意的整合を見出さなかった場合、例えば、各車両に対応する位置データを取得することに基づいて、類似したセンサ値を報告する複数の車両どうしを区別する労力をとることができる。位置データは、車両内のＧＰＳ受信機から取得することができる。ＧＰＳ受信機を車載ネットワークに結合して、位置データにアクセス可能にすることができる。スマートホンのようなモバイル装置をサーバーとの通信に用いる場合、スマートホンに組込みのＧＰＳ受信機を用いて、車両の位置を取得することができる。判定ブロック２３２で、区別することに成功しなかった場合、ブロック２５０で、追加的なセンサデータを要求し、ループ２５２を通して整合処理を反復する。
【００４０】
運転者の挙動
本発明の他の特徴は、センサデータを取得すること、及びこのセンサデータを分析して、運転者の挙動の特性を推測することを含み、取得したセンサデータは、ほぼリアルタイムでバッファ記憶、記憶、及び伝送することができる。所定の運転者について、長時間にわたるデータを蓄積して、プロファイルを形成することができる。このプロファイルからの逸脱は、医学的または他の要因による運転者の障害を示し得る。センサデータに基づくプロファイルを用いて、車両の現在の運転者の同一性を推測することもできる。
【００４１】
燃料効率
本発明の他の特徴は、センサデータを取得し、このセンサデータに基づいて、自動車の燃費または燃料効率を計算することを含む。燃費とは、液体燃料の１ガロン毎に、あるいは、電気自動車については、１キロワット時の電気エネルギー毎に走行したマイル数を称する。上述した技術を用いて、種々の条件下で、車両毎の燃料効率を測定することができる。通常の燃料効率からの偏差は、注意を必要とする保守問題を示し得る。保守問題が存在しない場合、運転者の挙動を燃料効率の変動性の理由として無視することができれば、計算した平均燃料効率を用いて、車両を一意的に識別することができる
【００４２】
一部の場合に、センサデータに反映される車両性能の変化は、保守問題よりもむしろ運転者の挙動に起因するものとすることができる。これら２つの場合を区別することは、長時間にわたって取得したデータの分析によって達成することができる。他の場合は、運転者ではなく、非常に異なる車両が非常に異なる読み取り値を生じさせる。
【００４３】
本発明の基になる原理から逸脱することなしに、上述した実施形態の細部に多数の変更を加えることができることは、当業者にとって自明である。従って、本発明の範囲は、以下の特許請求の範囲のみによって特定される。
【図１】
2015521554.tif 000003
【図２】
2015521554.tif 000004
【国際調査報告】
2015521554.tif 000005